(57)【要約】【課題】大量の放射能汚染水を早急に廉価に貯蔵保管したい。【解決手段】  水密性能が弱いプールの中に多数個の貯水タンクを正方格子状に敷設し、貯水タンクの中に放射能汚染水を保管貯蔵する。貯水タンクからの放射能汚染水漏洩を監視する。【選択図】図１
2014206399.tif 000002
【特許請求の範囲】
【請求項１】
地表を掘削してなる貯蔵庫（１）に多数個の貯水タンク（１０）を正方格子状に配列し透明ドームで覆い、
貯水タンク（１０）底部はタンク支持袴（１０１）で補強され、
貯水タンク（１０）内面には水位線（１１）が刻まれ、
貯水タンク（１０）内側底部に沈殿鍋（１２）を装荷し、
貯水タンク（１０）上面に上蓋（３０）を載せ、上蓋（３０）は透明な円筒形であって、円筒の外側半径はタンク支持袴（１０１）の外側半径と同じであって、上蓋（３０）の裏側にスペーサ（３２）を敷設し、
貯蔵庫（１）上部に敷設したる監視カメラ（４１）で水位線（１１）を監視し、
貯蔵庫（１）内底部に外部から水抜き管（２）を接続し、
水抜き管（２）には電動弁（３）を敷設し、電動弁（３）の下流側に敷設したるポンプ（２４）で貯蔵庫（１）内底部に溜まった余計な水を排水口（２５）から排水し、排水口（２５）近傍に敷設したる放射線検出器（４）で放射線を監視し、
汚染水を貯水タンク（１０）に注水すると共に凝集剤を添加することを特徴とする放射能汚染水貯蔵システム。
【発明の詳細な説明】
【技術分野】
【０００１】
原子力発電所で発生した放射能汚染水の貯蔵保管。
【背景技術】
【０００２】
原子力発電所での放射能に汚染された水は比較的少量であるから、建屋内の汚染除去装置でろ過等の処理を施した後、海に放流する。
主要な液体廃棄物処理法には、イオン交換法や蒸発法や凝集沈殿法や清浄な淡水または海水での希釈法があり、放射能の濃度を許容レベル以下にしてから海に放流する。
【非特許文献１】：昭51年、電力新報社、通商産業省資源エネルギー庁編「76年版原子力発電便覧」。
【発明の開示】
【発明が解決しようとする課題】
【０００３】
放射能に汚染された水が大量に発生すると、建屋内の汚染除去装置では処理仕切れないことになる。
原子力発電所敷地内ではあるが屋外で一時的に保管せざるを得ない。
巨大なプールで水を貯蔵保管すると、小さな漏洩は避けられない。
放射能や化学毒物に汚染された水の漏洩は問題になる。
とりわけ、放射能に汚染された水の漏洩は大事である。
【課題を解決するための手段】
【０００４】
地表を掘削してなる貯蔵庫（１）に多数個の貯水タンク（１０）を正方格子状に配列する。貯蔵庫（１）の上部は透明ドームで覆う。
水圧が高くなる貯水タンク（１０）底部にタンク支持袴（１０１）を履かせ、貯水タンク（１０）底部を補強する。
貯水タンク（１０）内面には水位変化を読み取るための水位線（１１）を刻む。
貯水タンク（１０）内側底部に沈殿鍋（１２）を装荷する。
貯水タンク（１０）上面には上蓋（３０）を載せる。上蓋（３０）は透明な円筒形であって、円筒の外側半径はタンク支持袴（１０１）の外側半径と同じであって、上蓋（３０）の裏側にスペーサ（３２）を敷設する。
貯蔵庫（１）上部に敷設したる監視カメラ（４１）で水位線（１１）を監視する。
貯蔵庫（１）内底部に外部から水抜き管（２）を接続する。
水抜き管（２）には電動弁（３）を敷設し、電動弁（３）の下流側に敷設したるポンプ（２４）で貯蔵庫（１）内底部に溜まった余計な水を排水口（２５）から排水する。排水口（２５）近傍に敷設したる放射線検出器（４）で放射線を監視する。
汚染水を貯水タンク（１０）に注水すると共に凝集剤を添加する。
本発明は、上記手段からなることを特徴とする放射能汚染水貯蔵システムである。
【０００５】
貯水タンク（１０）とタンク支持袴（１０１）との間隙には充填物を詰め補強を万全なものにする。
スペーサ（３２）により上蓋（３０）と貯水タンク（１０）との間には隙間ができる。透明な上蓋（３０）から入射する太陽熱及び、放射能汚染水の放射線による熱により、汚染水の1部は蒸発する。蒸発した蒸気が当該隙間から外部に出る。
放射能を吸着した凝集剤は沈殿鍋（１２）に沈殿する。適宜沈殿鍋（１２）を引き上げ交換する。貯水タンク（１０）内水の放射能が減少すれば適宜水を吸い上げ外部に排出することも考えられる。
監視カメラ（４１）での監視により水位線（１１）の異常低下が確認できれば、その貯水タンク（１０）には漏洩がある疑いがある。または当該タンクには比較的大きな熱源がある疑いがある。
貯蔵庫（１）内底部には地下水や雨水といった余計な水が入ってくる恐れがある。余計な水は水抜き管（２）からポンプ(２４)で排水口（２５）から排水する。
放射線検出器（４）が排水からの放射線を検出するとポンプ(２４)を止め電動弁（３）を閉じる。
【発明の効果】
【０００６】
水密性に大きな配慮をする必要が少ないため巨大なプールを安価に作ることが出来る。  
巨大な船では、水密壁で区分けした区間をいくつも作っている。これに似せて、本発明では巨大なプールの中に水密性に優れた多数の水タンクを貯蔵する。
個々の水タンクを常時監視して、水漏洩が疑われた水タンクを点検して水漏洩が確認できたなら、当該タンクのみを交換すればよい。
プール内に浸水してきた放射能濃度が低い地下水や雨水（原子炉がなくても微量な放射能を含有する）は、放射能の濃度を許容レベル以下であることを放射線検出器で監視しながら外界に放出するため、地下水や雨を心配する必要がない。
【発明を実施するための最良の形態】
【０００７】
巨大なプール内への浸水を心配することなく、大量の放射能汚染水を貯蔵保管することができる。
【実施例１】
【０００８】
図１は本発明の放射能汚染水貯蔵システムの概観図である。貯蔵庫（１）は、地表を掘削してなる巨大なプールである。貯蔵庫（１）の上部は、太陽光による熱を貯蔵庫（１）に閉じ込めるための透明ドームで覆われている。透明ドームは通常は閉じているが、貯水タンク（１０）を出し入れする際には開く。雨を考えると、透明ドームは基礎地盤よりも高い位置に敷設するのがよい。
貯蔵庫（１）に多数個の貯水タンク（１０）を正方格子状に配列する。
貯蔵庫（１）上部に監視カメラ（４１）を敷設し、貯水タンク（１０）に刻まれている水位線（１１）を監視する。監視カメラ（４１）は透明ドーム内外どちらに設置してもよい。監視カメラ（４１）での監視により水位線（１１）の異常低下が確認できれば、その貯水タンク（１０）には漏洩がある疑いがある。または当該タンクには比較的大きな熱源がある疑いがある。
当該タンク側面を内視鏡で詳しく点検し、汚染水漏洩が確認できたら、当該タンクを交換する。その際、中の汚染水を吸い上げて、タンクが空になってから交換するのが良い。
熱源については、当該タンク外側または内側を赤外線温度計や熱電対型温度計で計測し、
基準値よりも高ければ汚染水を抜き取り、別途放射性物質をろ過するか、または当該タンクの中にイオン交換器を挿入し放射性物質をろ過する。
貯蔵庫（１）内底部には、地下水や雨水といった余計な水が浸水することが考えられる。そのため、貯蔵庫（１）内底部に外部から水抜き管（２）を接続する。水抜き管（２）に電動弁（３）を敷設しておく。電動弁（３）の下流側に敷設したポンプ（２４）で貯蔵庫（１）内底部に溜まった余計な水を排水口（２５）から排水する。
排水口（２５）近傍に放射線検出器（４）を敷設し、排水の放射線を監視する。放射線検出器（４）が排水からの放射線を検出するとポンプ(２４)を止め電動弁（３）を閉じる。
なお、貯蔵庫（１）は2階建てにしてもよい。
図2は、貯蔵庫（１）の断面図である。
図3は、貯水タンク（１０）の概観図である。
貯水タンク（１０）とタンク支持袴（１０１）との間隙には充填物を詰め補強を万全なものにする。貯水タンク（１０）底部は水圧が高いから補強の意味で、貯水タンク（１０）底部にタンク支持袴（１０１）を履かせる。タンク支持袴（１０１）は貯蔵庫（１）底部に固定しても良いし、貯水タンク（１０）底部に固定しても良い。
貯水タンク（１０）は一時的なものであろうから、できるだけ廉価なものでよい。プラスチックやアルミでもよいであろう。補強のためにタンク支持袴（１０１）がある。
貯水タンク（１０）内面には水位変化を読み取るための水位線（１１）を刻む。
貯水タンク（１０）内側底部に沈殿鍋（１２）を装荷する。
貯水タンク（１０）上面に透明な円筒形であって、円筒の外側半径はタンク支持袴（１０１）の外側半径と同じであって、裏側にスペーサ（３２）を敷設した上蓋（３０）を載せる。
スペーサ（３２）により上蓋（３０）と貯水タンク（１０）との間には隙間ができる。透明な上蓋（３０）から入射する太陽熱及び、放射能汚染水の放射線による熱により、汚染水の1部は蒸発する。蒸発した蒸気が当該隙間から外部に出る。
放射能を吸着した凝集剤は沈殿鍋（１２）に沈殿する。適宜沈殿鍋（１２）を引き上げ交換する。
凝集剤には硫酸アルミニウムやポリ塩化アルミニウムやゼオライトが考えられる。
【産業上の利用可能性】
【０００９】
原子力発電所で大事故が発生し、大規模な放射能漏れが生じた場合、冷却水を始め放射能を含有した大量の放射能汚染水が出てくる場合がある。
3重にシールしたプールでも、大きなプールであれば何所か一箇所くらいからは水漏れがある。
化学毒性の強い物質を含有した汚染水の貯蔵保管にも応用できる。  
【図面の簡単な説明】
【００１０】
【図１】図1は、放射能汚染水貯蔵システムの概観図。
【図２】図2は、貯蔵庫（１）の断面図。
【図３】図3は、貯水タンク（１０）の概観図。
【符号の説明】
【００１１】
1は貯蔵庫。
2は水抜き管。
3は電動弁。
4は放射線検出器。
10は貯水タンク。
12は沈殿鍋。
24はポンプ。
25は排水口。
30は上蓋。
32はスペーサ。
41は監視カメラ。
101はタンク支持袴。
【図１】
2014206399.tif 000003
【図２】
2014206399.tif 000004
【図３】
2014206399.tif 000005